(57)【要約】【課題】遊技機の前扉の異常開放を容易で、かつ、確実に監視できるようにする。【解決手段】扉開閉管理部７２は、遊技機２より供給されてくる遊技機２の前扉の開放の有無の情報をデータベース４により管理し、ロック部開閉管理部７１は、遊技機２の前扉を押圧して、前扉の開放を規制する外部ロック装置１１の開放の有無の情報をデータベース４により管理し、異常検出部７３は、データベース４に登録されている前扉１１１の開放の有無の情報と、前記開放規制部の開放の有無の情報とを比較し、比較結果に基づいて、遊技機２の前扉１１１の異常開放を検出する。本発明は、遊技機に適用することができる。【選択図】図１
2010207353.tif 000002
【特許請求の範囲】
【請求項１】
遊技機の前扉の開放の有無の情報を管理する扉開放管理手段と、
前記遊技機の前扉を押圧して、前記前扉の開放を規制する開放規制部の開放の有無の情報を管理するロック部開放管理手段と、
前記前扉の開放の有無の情報と、前記開放規制部の開放の有無の情報とを比較する比較手段と、
前記比較手段の比較結果に基づいて、前記遊技機の扉の異常開放を検出する異常検出手段と
を含む監視装置。
【請求項２】
前記異常検出手段は、前記前扉の開放の有無の情報が開放有りであって、かつ、前記開放規制部の開放の有無の情報が開放無しである場合、前記遊技機の扉の異常開放を検出する
請求項１に記載の監視装置。
【請求項３】
前記異常検出手段は、前記前扉の開放の有無の情報が開放有りであって、かつ、前記開放規制部の開放の有無の情報が開放無しである場合、前記開放規制部の規制状態の確認を促す情報を提示する
請求項１に記載の監視装置。
【請求項４】
前記異常検出手段は、前記前扉の開放の有無の情報が開放無しであって、かつ、前記開放規制部の開放の有無の情報が開放有りである場合、前記遊技機の扉の確認を促す情報を提示する
請求項１に記載の監視装置。
【請求項５】
遊技機の前扉の開放の有無の情報を管理する扉開放管理ステップと、
前記遊技機の前扉を押圧して、前記前扉の開放を規制する開放規制部の開放の有無の情報を管理するロック部開放管理ステップと、
前記前扉の開放の有無の情報と、前記開放規制部の開放の有無の情報とを比較する比較ステップと、
前記比較ステップの処理の比較結果に基づいて、前記遊技機の扉の異常開放を検出する異常検出ステップと
を含む監視方法。
【請求項６】
遊技機の前扉の開放の有無の情報を管理する扉開放管理ステップと、
前記遊技機の前扉を押圧して、前記前扉の開放を規制する開放規制部の開放の有無の情報を管理するロック部開放管理ステップと、
前記前扉の開放の有無の情報と、前記開放規制部の開放の有無の情報とを比較する比較ステップと、
前記比較ステップの処理の比較結果に基づいて、前記遊技機の扉の異常開放を検出する異常検出ステップと
を含む処理をコンピュータに実行させるプログラム。
【発明の詳細な説明】
【技術分野】
【０００１】
本発明は、監視装置に関し、特に、遊技機の前扉の異常開放を容易で、かつ、確実に監視できるようにした監視装置に関する。
【背景技術】
【０００２】
パチンコホールに代表される遊技店においては、遊技機に何らかの細工を施して、設定された出玉数以上の出玉を不正に得ようとする者がいる。このような不正行為者は、遊技機の鍵を何らかの手段で開錠し、遊技機内部に細工を施したり、不正部品と交換したり、あるいは不正を行うための装置を取り付けたりすることがある。
【０００３】
このため、通常の鍵に加えて、外部から遊技機の前扉をロックする装置を取り付けることで、遊技機の不正を防止する技術として、例えば、遊技機の本体前扉と遊技島をワイヤーで係止し、遊技機の本体前扉を外部からロックするワイヤーロック装置が提案されている（特許文献１参照）。
【先行技術文献】
【特許文献】
【０００４】
【特許文献１】特開２００２−０１８０７９号公報
【発明の概要】
【発明が解決しようとする課題】
【０００５】
特許文献１に記載されるワイヤーロック装置は、ワイヤーの一端が遊技機の本体前扉に係止されているため、ガラス状の前扉の開閉には効果がない恐れがあった。
【０００６】
また、近年、遊技機が頻繁に入れ替えられるため、ワイヤー係止部品の付け替えとワイヤーの貼り替え作業が膨大な作業量となり、不正対策を実施するうえでの負担になってしまう恐れがあった。
【０００７】
本発明はこのような状況に鑑みてなされたものであり、特に、遊技機の前扉の異常開放を容易で、かつ、確実に監視できるようにするものである。
【課題を解決するための手段】
【０００８】
本発明の一側面の監視装置は、遊技機の前扉の開放の有無の情報を管理する扉開放管理手段と、前記遊技機の前扉を押圧して、前記前扉の開放を規制する開放規制部の開放の有無の情報を管理するロック部開放管理手段と、前記前扉の開放の有無の情報と、前記開放規制部の開放の有無の情報とを比較する比較手段と、前記比較手段の比較結果に基づいて、前記遊技機の扉の異常開放を検出する異常検出手段とを含む。
【０００９】
前記異常検出手段には、前記前扉の開放の有無の情報が開放有りであって、かつ、前記開放規制部の開放の有無の情報が開放無しである場合、前記遊技機の扉の異常開放を検出させるようにすることができる。
【００１０】
前記異常検出手段には、前記前扉の開放の有無の情報が開放有りであって、かつ、前記開放規制部の開放の有無の情報が開放無しである場合、前記開放規制部の規制状態の確認を促す情報を提示させるようにすることができる。
【００１１】
前記異常検出手段には、前記前扉の開放の有無の情報が開放無しであって、かつ、前記開放規制部の開放の有無の情報が開放有りである場合、前記遊技機の扉の確認を促す情報を提示させるようにすることができる。
【００１２】
本発明の一側面の管理方法は、遊技機の前扉の開放の有無の情報を管理する扉開放管理ステップと、前記遊技機の前扉を押圧して、前記前扉の開放を規制する開放規制部の開放の有無の情報を管理するロック部開放管理ステップと、前記前扉の開放の有無の情報と、前記開放規制部の開放の有無の情報とを比較する比較ステップと、前記比較ステップの処理の比較結果に基づいて、前記遊技機の扉の異常開放を検出する異常検出ステップとを含む。
【００１３】
本発明の一側面のプログラムは、遊技機の前扉の開放の有無の情報を管理する扉開放管理ステップと、前記遊技機の前扉を押圧して、前記前扉の開放を規制する開放規制部の開放の有無の情報を管理するロック部開放管理ステップと、前記前扉の開放の有無の情報と、前記開放規制部の開放の有無の情報とを比較する比較ステップと、前記比較ステップの処理の比較結果に基づいて、前記遊技機の扉の異常開放を検出する異常検出ステップとを含む処理をコンピュータに実行させる。
【００１４】
本発明の一側面においては、遊技機の前扉の開放の有無の情報が管理され、前記遊技機の前扉を押圧して、前記前扉の開放を規制する開放規制部の開放の有無の情報が管理され、前記前扉の開放の有無の情報と、前記開放規制部の開放の有無の情報とが比較され、比較結果に基づいて、前記遊技機の扉の異常開放が検出される。
【００１５】
本発明の一側面の監視装置における遊技機の前扉の開放の有無の情報を管理する扉開放管理手段とは、例えば、扉開閉管理部であり、前記遊技機の前扉を押圧して、前記前扉の開放を規制する開放規制部の開放の有無の情報を管理するロック部開放管理手段とは、例えば、ロック部開閉管理部であり、前記前扉の開放の有無の情報と、前記開放規制部の開放の有無の情報とを比較する比較手段とは、例えば、データベース比較部であり、前記比較手段の比較結果に基づいて、前記遊技機の扉の異常開放を検出する異常検出手段とは、例えば、判定部である。
【００１６】
すなわち、扉開放管理部により管理される、遊技機の前扉の開放の有無の情報と、ロック部開閉管理部により管理される、遊技機の前扉の開放を規制する規制部材のロック部の開放の有無の情報とが、比較手段により比較され、比較結果が、例えば、一致せず、ロック部の開閉の情報が閉鎖であるのにも関わらず、前扉の開放が検出されているような場合、前扉の異常な開放であることを検出する。
【００１７】
結果として、前扉の異常な開放を遊技店の従業員などにより個別に監視するといった手間をかけることなく、容易で、かつ、確実に監視することが可能となる。
【発明の効果】
【００１８】
本発明によれば、遊技機の前扉の不正な開放を容易で、かつ、確実に監視することが可能となる。
【図面の簡単な説明】
【００１９】
【図１】本発明を適用した監視システムの構成を説明する図である。
【図２】呼出ランプおよび遊技機の概観を説明する図である。
【図３】扉開放規制部の構成例を示す図である。
【図４】図３の扉開放規制部の動作を説明する図である。
【図５】図３の扉開放規制部の動作を説明する図である。
【図６】図３の扉開放規制部による開放動作の検出例を説明する図である。
【図７】図３の扉開放規制部による開放動作の検出例を説明する図である。
【図８】図３の扉開放規制部による開放動作のその他の検出例を説明する図である。
【図９】図３の扉開放規制部による開放動作のさらにその他の検出例を説明する図である。
【図１０】図３の扉開放規制部による開放動作のさらにその他の検出例を説明する図である。
【図１１】図３の扉開放規制部による開放動作のさらにその他の検出例を説明する図である。
【図１２】ロック部開閉チェック処理を説明するフローチャートである。
【図１３】監視システムに使用されるデータベースの構成例を説明する図である。
【図１４】扉開閉チェック処理を説明するフローチャートである。
【図１５】異常開放チェック処理を説明するフローチャートである。
【図１６】汎用のコンピュータの構成例を示す図である。
【発明を実施するための形態】
【００２０】
図１は、本発明を適用した遊技機の前扉の異常開放を監視する監視システムの一実施の形態の構成例を示す図である。
【００２１】
監視システムは、呼出ランプ１−１乃至１−Ｎ、遊技機２−１乃至２−Ｎ、およびホールコンピュータ３より構成されている。尚、呼出ランプ１−１乃至１−Ｎ、および遊技機２−１乃至２−Ｎのそれぞれについて、それらを個別に区別する必要がない場合、単に呼出ランプ１、および遊技機２と称するものとし、その他の構成についても同様に称するものとする。
【００２２】
遊技機２は、いわゆるパチンコ遊技機、または、パチスロ遊技機（スロットマシン）に代表されるものであり、遊技者が、遊技球、またはメダルなどの遊技媒体を投入し、所定の動作をさせることにより、遊技するものである。また、遊技機２には、前扉の開放を検出する機能が設けられており、前扉の開放が検出されると、その情報を情報バス６を介してホールコンピュータ３に供給する。
【００２３】
呼出ランプ１は、遊技機２の動作に対応して、動作状態を示すランプを点灯させる。また、呼出ランプ１には、図２で示されるように、遊技機２−１乃至２−Ｎのそれぞれの前扉１１１−１乃至１１１−Ｎの開閉を規制する外部ロック装置１１−１乃至１１−Ｎが設けられている。外部ロック装置１１は、遊技機２の前扉１１１に対してアーム状の扉開放規制部２０３（図３）を押圧することにより、前扉１１１の開放を物理的に規制するものである。外部ロック装置１１には、後述するが、前扉１１１の回動動作を固定する機能が設けられており、この機能を固定するための鍵が設けられている。呼出ランプ１は、この外部ロック装置１１の動作状態に応じた開放、または閉鎖の情報をホールコンピュータ３に供給する。
【００２４】
ホールコンピュータ３は、いわゆる汎用のコンピュータであり、遊技店における遊技機２から供給されてくる、遊技機２の前扉１１１の開放または閉鎖の情報と、呼出ランプ１より供給されてくる、外部ロック装置１１の開放、または閉鎖の情報とをデータベース４に蓄積し、データベース４の情報に基づいて遊技機２の前扉１１１の異常開放を検出する。
【００２５】
次に、呼出ランプ１の構成について説明する。
【００２６】
呼出ランプ１は、外部ロック装置１１、リモートコントローラ信号受信部１２、呼出ランプ１３、制御部１４、および通信部１５より構成されている。
【００２７】
外部ロック装置１１は、制御部１４からの制御信号に基づいた電動操作、または鍵シリンダ３４に鍵が挿入され、回転される手動操作のいずれかにより回動するアーム状の扉開放規制部２０３（図３）を備えている。外部ロック装置１１は、扉開放規制部２０３が回動することで、その端部が遊技機２の前扉１１１に当接することにより、前扉１１１の回動動作に伴う開閉を規制する。また、扉開放規制部２０３の動作を検出し、開放、または閉鎖の検出信号を制御部１４に供給する。尚、外部ロック装置１１の構成については、詳細を後述する。
【００２８】
リモートコントローラ信号受信部１２は、遊技店の係員により操作されるリモートコントローラ７からの無線通信、または赤外線通信等により供給される信号を受信し、対応する信号を生成して制御部１４に供給する。
【００２９】
呼出ランプ発光部１３は、制御部１４からの制御信号に基づいて、遊技店の係員を呼び出すための光を発光する。
【００３０】
制御部１４は、呼出ランプ１の全体の動作を制御している。制御部１４は、リモートコントローラ７が操作されて、リモートコントローラ信号受信部１２により扉開放規制部２０３の開放または閉鎖を指示する信号が供給されてきた場合、または、通信部１５を介して、他の呼出ランプ１より全ての呼出ランプ１の扉開放規制部２０３の一斉開放または閉鎖を指示する信号が供給されてきた場合、信号に対応して、呼出ランプ発光部１３を発光させると共に、電源供給部３２によりソレノイド３３、および鍵シリンダ３４に電力を供給して、扉開放規制部２０３を動作させる。
【００３１】
また、制御部１４は、発光部２２の演出光源制御部４１に発光信号を供給して、演出光源部４２を発光させると共に、開閉規制部２１に設けられた演出光源部３１を発光させる。さらに、制御部１４は、外部ロック装置１１に対して、扉開放規制部２０３を開放、または閉鎖させると共に、必要に応じて通信部１５を制御して、制御バス５を介して、他の呼出ランプ１に対して一斉開放、または閉鎖を指示する。
【００３２】
次に、外部ロック装置１１の詳細な構成について説明する。
【００３３】
外部ロック装置１１は、開閉規制部２１、および発光部２２より構成されている。開閉規制部２１は、演出光源部３１、電源供給部３２、ソレノイド３３、鍵シリンダ３４、ロック部動作検出部３５、およびロック部開閉検出部３６より構成されている。
【００３４】
開閉規制部２１の電源供給部３２は、制御部１４より供給される制御信号に基づいて、演出光源部３１、ソレノイド３３、ロック部動作検出部３５、およびロック部開閉検出部３６の動作に必要な電力を供給する。
【００３５】
ソレノイド３３は、電源供給部３２からの電力供給の有無により駆動され、図３で示される開閉規制部２１のアーム状の扉開放規制部２０３の回動を規制または開放するため、ロッククラッチ２０２を動作させる。より詳細には、図３の左部で示されるように、アーム状の扉開放規制部２０３は、軸２０３ａを中心として、矢印Ａ方向に回動可能に構成されている。尚、図３の左部においては、遊技機２の前扉１１１に対して側面方向からの図であり、右部は扉に対して対向した方向からの図である。遊技機２の前扉１１１を開放不能に規制するとき、図３の左部の矢印Ａにおける時計回転方向に回動させることにより、当接部２０３ｂを、遊技機２の前扉１１１に当接させ、前扉１１１を開放不能に規制する。扉開放規制部２０３の軸側端部は、先端部がピニオン歯車構造になっており、遊技機２側に設けられたロッククラッチ２０１に噛み合わさって回動する。また、図３の右部で示されるように、扉開放規制部２０３には、回転軸２０３ａの同心円状に歯車状のロッククラッチ２０１が設けられている。このロッククラッチ２０１の凹凸面に対向する位置であって、扉開放規制部２０３の回転に対して固定された位置に、ロッククラッチ２０２が設けられている。ロッククラッチ２０２は、図示せぬバネの反発力により図中の矢印Ｂ方向に押圧されており、ロッククラッチ２０１，２０２は、相互に対応して設けられている凹凸が噛み合うことにより、扉開放規制部２０３の回動を規制する。ロッククラッチ２０２は、リンク２０５によりソレノイド３３と連結されている。リンク２０５は、軸２０５ａを軸としてシーソー状に動作するものである。
【００３６】
このため、図４の上部で示されるように、ソレノイド３３に電源供給部３２より電力が供給されると磁化され、プランジャを矢印１方向に吸引する。これにより、矢印２で示されるように、軸２０５ａを中心としてリンク２０５の上端部が左方向に、下端部が右方向に傾倒する。この結果、矢印３で示されるように、リンク２０５の下端部が、図示せぬバネの反発力に打ち勝って、ロッククラッチ２０２全体を図中の右方向にスライドさせることにより、ロッククラッチ２０１，２０２の相互に対応する凹凸による噛み合わせが開放され、図４の中段で示されるように、扉開放規制部２０３が、矢印５の方向に回動可能となり、扉開放規制部２０３のピニオン歯車状の先端部がラック状のロッククラッチ２０１を矢印４方向にスライドさせ、図４の下段で示されるように、扉開放規制部２０３による前扉１１１の開放の規制を解除することができる。
【００３７】
また、図５で示されるように、開放規制部２１には、鍵シリンダ３４が設けられており鍵シリンダ３４の回転軸よりずれた位置にロッククラッチ２０２と一体となったピン２０４が挿通されている。このため、鍵シリンダ３４に図示せぬ鍵が挿入され、図５で示されるように、矢印１方向に回転されると、鍵シリンダ３４の回転に伴ってロッククラッチ２０２と一体となったピン２０４が図５中の矢印２方向に移動する。このため、ロッククラッチ２０２が全体として矢印２方向に移動するため、上述した図４の中段および下段で示される状態と同様に、ロッククラッチ２０１，２０２の相互に対応する凹凸による噛み合わせが開放され、図４の中段で示されるように、扉開放規制部２０３が、矢印５の方向に回動可能となり、扉開放規制部２０３のピニオン歯車状の先端部がラック状のロッククラッチ２０１を矢印４方向にスライドさせ、図４の下段で示されるように、扉開放規制部２０３による前扉１１１の開放の規制を解除することができる。
【００３８】
すなわち、扉開放規制部２０３は、電動でも手動でも規制を解除することができる。
【００３９】
ロック部動作検出部３５は、図６で示されるようにセンサ２２２，２２３の検出信号に基づいて、扉開放規制部２０３の回転動作の有無を検出する。より詳細には、センサ２２２，２２３は、光センサであり、軸２０３ａに対して角度αの位置関係が構成されるように設けられている。また、図６のＡＡ断面で示されるように、扉開放規制部２０３のピニオン歯車状の先端部には、角度β間隔でセンサ２２２，２２３の受光部を遮光する突起部２２１が設けられている。
【００４０】
この角度βは、α＜β＜１．５×αであるか、または、１．５×α＜β＜２×αのいずれかに設定されている。このため、例えば、α＜β＜１．５×αである場合、扉開放規制部２０３が図６の矢印up方向に回動されると、図７の上段の上部の波形で示されるように、センサ２２２で時刻ｔ１に遮光状態から透過状態への変化、すなわち、光を受光し始める立ち上がりを検出するとき、図７の上段の下部の波形で示されるように、センサ２２３では、時刻ｔ１よりも若干遅れた時刻ｔ２において、遮光状態から透過状態への変化、すなわち、光を受光し始める立ち上がりを検出する。
【００４１】
逆に、扉開放規制部２０３が図６の矢印down方向に回動されると、図７の下段の下部の波形で示されるように、センサ２２３で時刻ｔ１１に遮光状態から透過状態への変化、すなわち、光を受光し始める立ち上がりを検出するとき、図７の下段の上部の波形で示されるように、センサ２２２では、時刻ｔ１１よりも若干遅れた時刻ｔ１２において、遮光状態から透過状態への変化、すなわち、光を受光し始める立ち上がりを検出する。
【００４２】
この結果、ロック部動作検出部３５は、両者の波形の立ち上がりおよび立ち下がりの変化のずれを確認することで、扉開放規制部２０３の回転の有無、および、回転方向を検出することができる。
【００４３】
尚、１．５×α＜β＜２×αであるとする場合、波形の立ち上がり、および立ち下がりの前後関係が逆転することとなるが、同様に回転の有無、および回転方向を検出することができる。
【００４４】
また、図６においては、センサ２２２，２２３に対して遮光するため突起部２２１を設ける例について説明してきたが、突起部２２１に代えて、図８で示されるように、スリットが切られた円盤を設けるようにして、突起部２２１と同様の機能を備えるようにすることで、同様の処理により回転の有無、および回転方向を検出することができる。
【００４５】
さらに、図９で示されるように、突起部２２１、または円盤２４１、およびセンサ２２２，２２３に代えて、センサ２６１ａを備えたセンサブラケット２６１、トルクリミッタ２６２、センサブラケット押下げ用のピン２６３、およびセンサ遮光部２６４を設けるようにしても良い。
【００４６】
すなわち、図９においては、扉開放規制部２０３の当接部２０３ｂが遊技機２の前扉１１１に押圧されるとき、扉開放規制部２０３の根元に設けられたピン２６３が、センサブラケット２６１のセンサ２６１ａを押圧する。センサ遮光部２６４は、このように扉開放規制部２０３が遊技機２の前扉１１１に押圧されるときにピン２６３によりセンサ２６１ａが押下げられてくる位置に設定される。
【００４７】
すなわち、図１０の左部で示される状態から、図１０の中央部で示されるように扉開放規制部２０３が遊技機２の前扉１１１に押圧されることにより、センサ２６１ａをセンサ遮光部２６４が遮光する状態となる。扉開放規制部２０３が、図１０の右部で示されるように、矢印方向に持ち上げられると、トルクリミッタ２６２の作用によりセンサブラケット２６１は回動せず扉開放規制部２０３と連動して、センサ遮光板２６４のみが回動し、センサ２６１ａの遮光を解除することにより、センサ２６１ａからの信号に基づいて、ロック部動作検出部３５は、扉開放規制部２０３の回動動作を検出することができる。
【００４８】
尚、以上においては、トルクリミッタ２６２を用いる例について説明してきたが、例えば、図１１で示されるように、トルクリミッタ２６２に代えて、ラッチ板２７１を設けるようにしても良い。
【００４９】
ロック部開閉検出部３６は、ロック部動作検出部３５により供給されてくる信号に基づいて、ロック部開放、または閉鎖を示す信号を制御部１４に供給する。より具体的には、扉開放規制部２０３が動作されたことを示す信号が供給されてくるとき、ロック部開閉検出部３６は、扉開放規制部２０３が開放されたことを示す信号を制御部１４に供給すると共に、扉開放規制部２０３が動作されたことを示す信号が供給されてこないとき、閉鎖されていることを示す信号を制御部１４に供給する。
【００５０】
これにより制御部１４は、通信部１５を制御して、ロック部開閉検出部３６からの信号に基づいて、扉開放規制部２０３が開放、または閉鎖されたことを示すロック部開閉信号をホールコンピュータ３に送信させる。
【００５１】
次に、遊技機２の構成例について説明する。
【００５２】
遊技機２は、制御部５１、通信部５２、扉開閉検出部５３、および異常検出部５４から構成されている。制御部５１は、遊技機２の動作の全体を制御している。制御部５１は、扉開閉検出部５３により遊技機２の前扉１１１の開放、または閉鎖の信号を取得し、開放、または、閉鎖の情報を通信部５２を介してホールコンピュータ３に通知する。また、異常検出部５４により異常が検出された場合、通信部５２を介して、ホールコンピュータ３に通知すると共に、呼出ランプ１に供給し、対応する呼出ランプ発光部１３を発光させる。
【００５３】
通信部５２は、例えば、イーサネット（登録商標）ボードなどから構成されており、情報バス６を介してホールコンピュータ３と各種の情報を授受する。扉開閉検出部５３は、遊技機２の前扉１１１と遊技機２の本体とに設けられた光学スイッチ、物理スイッチ、または電子スイッチなどであり、前扉１１１の開放および閉鎖を検出し、検出結果を制御部５１に供給する。異常検出部５４は、遊技機２の動作上の異常を検出し、制御部５１に供給する。
【００５４】
次に、ホールコンピュータ３の構成例について説明する。
【００５５】
ホールコンピュータ３は、通信部６１および制御部６２より構成されている。
【００５６】
通信部６１は、イーサネット（登録商標）ボードなどから構成されており、情報バス６を介して呼出ランプ１、および遊技機２と各種の情報を授受する。
【００５７】
制御部６２は、ホールコンピュータ３の動作の全体を制御している。制御部６２は、ロック部開閉管理部７１、扉開閉管理部７２、異常検出部７３、およびRTC（Real Time Clock）７４より構成されている。
【００５８】
また、ロック部開閉管理部７１は、開閉認識部８１、およびデータベース更新部８２より構成されている。開閉認識部８１は、通信部６１を介して各呼出ランプ１より供給されてくるロック部開閉信号に基づいて、外部ロック装置１１の扉開放規制部２０３が開放、または閉鎖されたことを認識し、データベース更新部８２に供給する。データベース更新部８２は、データベース４にアクセスし、ロック部開閉信号を送信してきた呼出ランプ１に対応する台番号のロック部開閉信号についてデータベース４のロック部開閉チェック欄に登録または更新すると共に、更新時刻をRTC７４より読み込んで登録する。
【００５９】
扉開閉管理部７２は、開閉認識部９１、およびデータベース更新部９２より構成されている。開閉認識部９１は、通信部６１を介して各遊技機２より供給されてくる扉開閉信号に基づいて、遊技機２の前扉１１１が開放、または閉鎖されたことを認識し、データベース更新部９２に供給する。データベース更新部９２は、データベース４にアクセスし、扉開閉信号を送信してきた遊技機２に対応する台番号の扉開閉信号についてデータベース４の扉開閉チェック欄に登録または更新すると共に、更新時刻をRTC７４より読み込んで登録する。
【００６０】
異常検出部７３は、データベース比較部１０１、判定部１０２、および出力部１０３より構成されており、各遊技機２の前扉１１１の異常開放を検出する。データベース比較部１０１は、データベース４にアクセスし、同一の台番号のロック部開閉チェック欄の情報と扉開閉チェック欄の情報とを比較し、比較結果を判定部１０２に供給する。判定部１０２は、比較結果に基づいて、遊技機２の前扉１１１の異常開放を認識し、異常を認識した場合、LCD（Liquid Crystal Display）などの表示機能や、音声出力機能を備えた出力部１０３より異常が発生したことを出力させる。
【００６１】
RTC７４は、時刻情報を発生し、ロック部開閉管理部７１、および扉開閉管理部７２に供給する。
【００６２】
次に、図１２のフローチャートを参照して、図１の監視システムによるロック部開閉チェック処理について説明する。
【００６３】
ステップＳ１において、ロック部開閉検出部３６は、ロック部動作検出部３５より扉開放規制部２０３の開放が検出されたことを示す信号が供給されたか否かを判定する。例えば、扉開放規制部２０３が操作されて開放が検出された場合、ステップＳ２において、ロック部動作検出部３５は、扉開放規制部２０３の開放動作を検出し、検出結果となる開放を示す信号をロック部開閉検出部３６に供給する。そして、ロック部開閉検出部３６が、制御部１４にロック部開閉信号として開放を示す信号を供給する。これに基づいて、制御部１４が通信部１５を制御して、情報バス６を介してホールコンピュータ３に開放を示すロック部開閉信号と共に、自らを識別する台番号の情報を送信する。
【００６４】
一方、ステップＳ１において、ロック部動作検出部３５より扉開放規制部２０３の開放が検出されたことを示す信号が供給されいない場合、ステップＳ３において、ロック部開閉検出部３６は、ロック部動作検出部３５より扉開放規制部２０３の閉鎖が検出されたことを示す信号が供給されたか否かを判定する。例えば、扉開放規制部２０３が操作されて閉鎖が検出された場合、ステップＳ４において、ロック部動作検出部３５は、扉開放規制部２０３の閉鎖動作を検出し、検出結果となる閉鎖を示す信号をロック部開閉検出部３６に供給する。そして、ロック部開閉検出部３６が、制御部１４にロック部開閉信号として閉鎖を示す信号を供給する。これに基づいて、制御部１４が通信部１５を制御して、情報バス６を介してホールコンピュータ３に閉鎖を示すロック部開閉信号と共に、自らを識別する台番号の情報を送信する。
【００６５】
尚、ステップＳ３において、扉開放規制部２０３が操作されて閉鎖が検出されない場合、すなわち、扉開放規制部２０３の開放、および閉鎖のいずれも動作の検出がなかった場合、処理は、ステップＳ１に戻り、扉開放規制部２０３の開放、または閉鎖のいずれかの動作が検出されるまで、ステップＳ１，Ｓ３の処理が繰り返される。
【００６６】
ステップＳ２１において、ロック部開閉管理部７１は、通信部６１を制御して、情報バス６を介して、ロック部開閉信号が送信されてきているか否かを判定し、送信されてくるまで、同様の処理を繰り返す。そして、ステップＳ２１において、例えば、ステップＳ２またはＳ４の処理により、ロック部開閉信号が送信されてきた場合、ステップＳ２２において、ロック部開閉管理部７１の開閉認識部８１は、ロック部開閉信号が開放を示す信号であるか否かを判定する。
【００６７】
ステップＳ２２において、ロック部開閉信号が開放を示す信号である場合、ステップＳ２３において、データベース更新部８２は、データベース４にアクセスし、データベース４に登録されているロック開閉チェック欄の情報が閉鎖として登録されているか否かを判定する。
【００６８】
ここで、図１３を参照して、データベース４のデータ構造について説明する。データベース４のデータ構造は、左から遊技機２を識別する台番号欄、扉開閉チェック欄、およびロック部開閉チェック欄が設けられている。図１３の場合、台番号としては、上から１０００，１００１，１００２，１００３，・・・と記載されている。
【００６９】
また、扉開閉チェック欄は、左側に信号の種別を示す欄が設けられ、開放を示す「開」、または閉鎖を示す「閉」が登録され、右側には、その情報が登録（更新）された時刻が記録されている。すなわち、図１３においては、扉開閉チェック欄は、左側が上から「開」、「開」、「閉」、および「閉」と登録されており、右側が上から「2009/1/28 14:10:45」、「2009/1/28 15:11:45」、「2009/1/28 16:12:45」、および「2009/1/28 17:13:45」と登録されている。
【００７０】
さらに、ロック部開閉チェック欄は、左側に信号の種別を示す欄が設けられ、開放を示す「開」、または閉鎖を示す「閉」が登録され、右側には、その情報が登録（更新）された時刻が記録されている。すなわち、図１３においては、ロック部開閉チェック欄は、左側が上から「開」、「閉」、「開」、および「閉」と登録されており、右側が上から「2009/1/28 14:10:45」、「2009/1/28 15:11:45」、「2009/1/28 16:12:45」、および「2009/1/28 17:13:45」と登録されている。
【００７１】
すなわち、図１３のデータベース４においては、台番号１０００に対応する遊技機２より2009年1月28日14時10分45秒に、「開放」を示す扉開閉信号が供給された事によりデータベース４が更新され、台番号１０００に対応する呼出ランプ１より2009年1月28日14時10分45秒に、「開放」を示すロック部開閉信号が供給された事によりデータベース４が更新されたことが示されている。
【００７２】
また、台番号１００１に対応する遊技機２より2009年1月28日15時11分45秒に、「開放」を示す扉開閉信号が供給された事によりデータベース４が更新され、台番号１００１に対応する呼出ランプ１より2009年1月28日15時11分45秒に、「閉鎖」を示すロック部開閉信号が供給された事によりデータベース４が更新されたことが示されている。
【００７３】
さらに、台番号１００２に対応する遊技機２より2009年1月28日16時12分45秒に、「閉鎖」を示す扉開閉信号が供給された事によりデータベース４が更新され、台番号１００２に対応する呼出ランプ１より2009年1月28日16時12分45秒に、「開放」を示すロック部開閉信号が供給された事によりデータベース４が更新されたことが示されている。
【００７４】
また、台番号１００３に対応する遊技機２より2009年1月28日17時13分45秒に、「閉鎖」を示す扉開閉信号が供給された事によりデータベース４が更新され、台番号１００３に対応する呼出ランプ１より2009年1月28日17時13分45秒に、「閉鎖」を示すロック部開閉信号が供給された事によりデータベース４が更新されたことが示されている。
【００７５】
ここで、図１２のフローチャートの説明に戻る。
【００７６】
ステップＳ２３において、例えば、ロック部開閉信号と共に供給されてきた台番号の情報が１００１である場合、図１３のデータベース４のロック部開閉チェック欄においては、「閉」と登録されており、直前においてはロック部開閉信号として閉鎖が登録されていると判断され、処理は、ステップＳ２４に進む。
【００７７】
ステップＳ２４において、データベース更新部８２は、データベース４のロック部開閉チェック欄における登録情報を、開放を示す「開」に更新する。
【００７８】
ステップＳ２５において、データベース更新部８２は、RTC７４に問い合わせて現在時刻を読み出し、更新時刻として登録し、処理は、ステップＳ２１に戻る。
【００７９】
一方、ステップＳ２２において、ロック部開閉信号が開放を示す信号ではない、すなわち、ロック部開閉信号が閉鎖を示す信号である場合、ステップＳ２６において、データベース更新部８２は、データベース４にアクセスし、データベース４のロック部開閉チェック欄に開放を示す情報が登録されているか否かを判定する。
【００８０】
ステップＳ２６において、例えば、ロック部開閉信号と共に供給されてきた台番号の情報が１００２である場合、図１３のデータベース４のロック部開閉チェック欄においては、「開」と登録されており、直前においてはロック部開閉信号として開放が登録されていると判断され、処理は、ステップＳ２７に進む。
【００８１】
ステップＳ２７において、データベース更新部８２は、データベース４のロック部開閉チェック欄における登録情報を、閉鎖を示す「閉」に更新し、処理は、ステップＳ２５に進む。
【００８２】
また、ステップＳ２３において、データベース４のロック部開閉チェック欄に登録されている情報が閉鎖ではない場合、ステップＳ２４，Ｓ２５の処理がスキップされ、同様に、ステップＳ２６において、データベース４に登録されている情報が開放ではない場合、ステップＳ２７，Ｓ２５の処理がスキップされる。
【００８３】
尚、ステップＳ２３，Ｓ２６において、ロック部開閉信号と共に送信されてきた台番号に相当するデータベース４の情報がない場合、処理は、それぞれステップＳ２４，Ｓ２７に進み、データベース４に新たに情報を登録する。この場合、ロック部開閉チェック欄のみが登録されることになる。
【００８４】
すなわち、呼出ランプ１は、扉開放規制部２０３の開放、または閉鎖の動作が検出されたときにのみ、対応するロック部開閉信号をホールコンピュータ３に送信する。
【００８５】
そして、ホールコンピュータ３は、ロック部開閉信号が供給されてくると、供給されてきたロック部開閉信号が扉開放規制部２０３の開放を示す信号である場合、データベース４にアクセスし、直前のロック部開閉チェック処理により、ロック部開閉チェック欄に、扉開放規制部２０３の閉鎖を示す情報が登録されていれば、開放を示す情報に更新し、逆に、供給されてきたロック部開閉信号が扉開放規制部２０３の閉鎖を示す信号である場合、データベース４にアクセスし、直前のロック部開閉チェック処理により、ロック部開閉チェック欄に、扉開放規制部２０３の開放を示す情報が登録されていれば、閉鎖を示す情報に更新する。つまり、ホールコンピュータ３は、データベース４のロック部開閉チェック欄に登録されている情報と異なるロック部開閉信号が供給されてきたときにのみ、供給されてきたロック部開閉信号の情報に対応して、更新時刻と共にデータベース４のロック部開閉チェック欄を更新する。
【００８６】
結果として、ロック部開閉チェック処理によれば、扉開放規制部２０３の動作に対応付けて、データベース４のロック部開閉チェック欄の情報を常に最新の状態で登録させることが可能となる。
【００８７】
次に、図１４のフローチャートを参照して、図１の監視システムによる扉開閉チェック処理について説明する。
【００８８】
ステップＳ４１において、扉開閉検出部５３は、遊技機２の前扉１１１の開放が検出されたか否かを判定する。例えば、遊技機２の前扉１１１が開放されて開放が検出された場合、ステップＳ４２において、扉開閉検出部５３は、前扉１１１の開放動作を検出し、検出結果となる開放を示す信号を制御部５１に扉開閉信号として供給する。これに基づいて、制御部５１が通信部５２を制御して、情報バス６を介してホールコンピュータ３に開放を示す扉開閉信号と共に、自らを識別する台番号の情報を送信する。
【００８９】
一方、ステップＳ４１において、扉開閉検出部５３より遊技機２の前扉１１１の開放が検出されたことを示す信号が供給されいない場合、ステップＳ４３において、扉開閉検出部５３は、遊技機２の前扉１１１の閉鎖が検出されたか否かを判定する。例えば、前扉１１１が操作されて閉鎖が検出された場合、ステップＳ４４において、扉開閉検出部５３は、遊技機２の前扉１１１の閉鎖動作を検出し、検出結果となる閉鎖を示す信号を制御部５１に供給する。これに基づいて、制御部５１が通信部５２を制御して、情報バス６を介してホールコンピュータ３に閉鎖を示す扉開閉信号と共に、自らを識別する台番号の情報を送信する。
【００９０】
尚、ステップＳ４３において、前扉１１１が操作されて閉鎖が検出されない場合、すなわち、前扉１１１の開放、および閉鎖のいずれも動作の検出がなかった場合、処理は、ステップＳ４１に戻り、前扉１１１の開放、または閉鎖のいずれかの動作が検出されるまで、ステップＳ４１，Ｓ４３の処理が繰り返される。
【００９１】
ステップＳ６１において、扉開閉管理部７２は、通信部６１を制御して、扉開閉信号が送信されてきているか否かを判定し、送信されてくるまで、同様の処理を繰り返す。そして、ステップＳ６１において、例えば、ステップＳ４２またはＳ４４の処理により、扉開閉信号が送信されてきた場合、ステップＳ６２において、扉開閉管理部７２の開閉認識部９１は、扉開閉信号が開放を示す信号であるか否かを判定する。
【００９２】
ステップＳ６２において、ロック部開閉信号が開放を示す信号である場合、ステップＳ６３において、データベース更新部９２は、データベース４にアクセスし、データベース４の扉開閉チェック欄に登録されている情報が閉鎖として登録されているか否かを判定する。
【００９３】
ステップＳ６３において、例えば、ロック部開閉信号と共に供給されてきた台番号の情報が１００２である場合、図１３のデータベース４の扉開閉チェック欄においては、「閉」と登録されており、直前においては扉開閉信号として閉鎖が登録されていると判断され、処理は、ステップＳ６４に進む。
【００９４】
ステップＳ６４において、データベース更新部９２は、データベース４の扉開閉チェック欄における登録情報を、開放を示す「開」に更新する。
【００９５】
ステップＳ６５において、データベース更新部９２は、RTC７４に問い合わせて現在時刻を読み出し、更新時刻として登録し、処理は、ステップＳ６１に戻る。
【００９６】
一方、ステップＳ６２において、扉開閉信号が開放を示す信号ではない、すなわち、扉開閉信号が閉鎖を示す信号である場合、ステップＳ６６において、データベース更新部９２は、データベース４にアクセスし、データベース４の扉開閉チェック欄に登録されている情報が開放として登録されているか否かを判定する。
【００９７】
ステップＳ６６において、例えば、扉開閉信号と共に供給されてきた台番号の情報が１０００である場合、図１３のデータベース４の扉開閉チェック欄においては、「開」と登録されており、直前においては扉開閉信号として開放が登録されていると判断され、処理は、ステップＳ７７に進む。
【００９８】
ステップＳ６７において、データベース更新部９２は、データベース４の扉開閉チェック欄における登録情報を、閉鎖を示す「閉」に更新し、処理は、ステップＳ６５に進む。
【００９９】
また、ステップＳ６３において、データベース４に登録されている情報が閉鎖ではない場合、ステップＳ６４，Ｓ６５の処理がスキップされ、同様に、ステップＳ６６において、データベース４の扉開閉チェック欄に登録されている情報が開放ではない場合、ステップＳ６７，Ｓ６５の処理がスキップされる。
【０１００】
尚、ステップＳ６３，Ｓ６６において、扉開閉信号と共に送信されてきた台番号に相当するデータベース４の情報がない場合、処理は、それぞれステップＳ６４，Ｓ６７に進み、データベース４に新たに情報を登録する。この場合、扉開閉チェック欄のみが登録されることになる。
【０１０１】
すなわち、遊技機２は、前扉１１１の開放、または閉鎖の動作が検出されたときにのみ、対応する扉開閉信号をホールコンピュータ３に送信する。
【０１０２】
そして、ホールコンピュータ３は、扉開閉信号が供給されてくると、供給されてきた扉開閉信号が開放を示す信号である場合、データベース４にアクセスし、直前の扉開閉チェック処理により前扉１１１の閉鎖が、扉開閉チェック欄に登録されていれば、開放を示す情報に更新し、逆に、供給されてきた扉開閉信号が前扉１１１の閉鎖を示す信号である場合、データベース４にアクセスし、直前の扉開閉チェック処理により、扉開閉チェック欄に前扉１１１の開放が登録されていれば、閉鎖を示す情報に更新する。つまり、ホールコンピュータ３は、データベース４の扉開閉チェック欄に登録されている情報と異なる扉開閉信号が供給されてきたときにのみ、供給されてきた扉開閉信号の情報に対応して、更新時刻と共にデータベース４の扉開閉チェック欄を更新する。
【０１０３】
結果として、扉開閉チェック処理によれば、前扉１１１の動作に対応付けて、データベース４の扉開閉チェック欄の情報を常に最新の状態で登録させることが可能となる。
【０１０４】
次に、図１５のフローチャートを参照して、異常開放チェック処理について説明する。
【０１０５】
ステップＳ８１において、異常検出部７３はデータベース４にアクセスし、未処理の台番号に対応する扉開閉チェック欄の情報およびロック部開閉チェック欄の情報を読み出す。さらに、データベース比較部１０１は、読み出された扉開閉チェック欄の情報と、ロック部開閉チェック欄の情報とを比較する。
【０１０６】
ステップＳ８２において、データベース比較部１０１は、信号の種別が一致するか否かを判定する。すなわち、例えば、台番号が１０００の場合、扉開閉チェック欄の情報は「開」であり、ロック部開閉チェック欄の情報は「開」であるので、一致するものと判定する。また、台番号が１００３の場合、扉開閉チェック欄の情報は「閉」であり、ロック部開閉チェック欄の情報は「閉」であるので一致するものと判定する。このように、ステップＳ８２において、一致すると判定された場合、処理は、ステップＳ８６に進む。
【０１０７】
ステップＳ８６において、データベース比較部１０１は、両者が一致することを出力部１０３に供給する。出力部１０３は、供給されてきた両者の情報が一致すると共に、正常に動作していることを提示する。すなわち、外部ロック装置１１における扉開放規制部２０３が開放されていて、かつ、前扉１１１が開放されている場合、扉開放規制部２０３が開放されて、さらに、遊技機２の前扉１１１が開放されて、係員により何らかの正規な処理がなされるといった、通常の開放操作そのものであるので、正常動作であるものとみなされる。また、外部ロック装置１１における扉開放規制部２０３が閉鎖されていて、かつ、前扉１１１が閉鎖されている場合、通常の閉鎖操作そのものであるので、同様に正常動作であるものとみなされる。
【０１０８】
一方、ステップＳ８２において、両者の情報が一致していないと判定された場合、ステップＳ８３において、判定部１０２は、扉開閉チェック欄の情報が開放であるか否かを判定する。ステップＳ８３において、例えば、扉開閉チェック欄の情報が開放であると判定された場合、ステップＳ８４において、判定部１０２は、前扉１１１が不正の開放されているものとみなし、その旨を出力部１０３により提示させる。すなわち、扉開閉チェック欄の情報が開放であれば、ロック部開閉チェック欄の情報は閉鎖であることになり、扉開放規制部２０３が解除操作がなされていないのに、前扉１１１が開いた状態となっていることになるので、例えば、ガラス等が破られるなどして、不正に前扉１１１が開放されているか、または、扉開放規制部２０３が折られて破壊されている可能性が高い。そこで、判定部１０２は、前扉１１１の異常開放を検出し、遊技機２において不正行為が発生している可能性がある、または、扉開放規制部２０３が破壊されている可能性があるのでその確認をするよう促す情報を提示する。結果として、容易で、かつ、確実に前扉１１１の異常開放を検出することが可能となる。
【０１０９】
さらに、ステップＳ８３において、扉開閉チェック欄の情報が開放ではなく、閉鎖であった場合、ステップＳ８５において、判定部１０２は、前扉１１１は開かれていないが、外部ロック装置１１の扉開放規制部２０３が開放されていることになるので、不正に前扉１１１が開放されてはいないが、外部ロック装置１１の扉開放規制部２０３は、遊技機２の前扉１１１に当接していないことになるので、出力部１０３を制御して、不正開放はされていないが、外部ロック装置１１の扉開放規制部２０３を操作して閉鎖状態とするように促すよう提示させる。すなわち、外部ロック装置１１により前扉１１１が閉鎖されていないので、例えば、遊技機２の前扉１１１が不正に開放されてしまう恐れがある
【０１１０】
そこで、このように事前に不正に前扉１１１の開放がなされてしまう可能性のある状態を提示することが可能となり、うっかり係員が外部ロック装置１１の操作を忘れたり、一斉操作で動作しなかったりするような状態となっても、容易で、かつ、確実に遊技機２の前扉１１１の不正開放を監視することが可能となる。
【０１１１】
以上の如く、本発明によれば、遊技機の前扉の異常開放を容易で、かつ、確実に監視することが可能となる。
【０１１２】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１１３】
図１６は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１１４】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１１５】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１１６】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１１７】
また、本明細書において、システムとは、複数の装置により構成される装置全体を表すものである。
【符号の説明】
【０１１８】
１，１−１乃至１−Ｎ  呼出ランプ
２，２−１乃至２−Ｎ  遊技機
３  ホールコンピュータ
４  データベース
１１  外部ロック装置
１４  制御部
２１  開閉規制部
３５  ロック部動作検出部
３６  ロック部開閉検出部
５１  制御部
５３  扉開閉検出部
６２  制御部
７１  ロック開閉管理部
７２  扉開閉管理部
７３  異常検出部
７４  RTC
【図１】
2010207353.tif 000003
【図２】
2010207353.tif 000004
【図３】
2010207353.tif 000005
【図４】
2010207353.tif 000006
【図５】
2010207353.tif 000007
【図６】
2010207353.tif 000008
【図７】
2010207353.tif 000009
【図８】
2010207353.tif 000010
【図９】
2010207353.tif 000011
【図１０】
2010207353.tif 000012
【図１１】
2010207353.tif 000013
【図１２】
2010207353.tif 000014
【図１３】
2010207353.tif 000015
【図１４】
2010207353.tif 000016
【図１５】
2010207353.tif 000017
【図１６】
2010207353.tif 000018